(57)【要約】      （修正有）【課題】塗装面の境界または端縁から塗料がはみ出ず、塗装面の境界または端縁が明瞭に美しく仕上げられる塗装マスク治具を提供する。【解決手段】塗装マスク７の塗装穴１６の周縁のうち、被塗装物Ａの外縁を除いた周縁にはマスク凹溝１７が設けられ、この中に弾性紐体１８が圧入され、この弾性紐体１８は被塗装物Ａの塗装凹溝Ｄに当接密着し、塗装穴１６からの塗料が弾性紐体１８を越えて浸透しない。また、弾性紐体１８が被塗装物Ａに当接するので、被塗装物Ａに傷が付かず、下方へ突出した弾性紐体１８の隣の塗装マスク７部分が塗装凹溝Ｄ内に入るので、この突出部分が被塗装物Ａ上を動かず傷が付きにくいし、被塗装物Ａと塗装マスク７との互いの位置がずれず、塗装面Ｂがずれない。【選択図】図３
0003180451.tif 000002
【実用新案登録請求の範囲】
【請求項１】
被塗装物に対して着脱自在で、被塗装物の表面の一部を覆い、被塗装物の表面の他の一部を露出させる塗装マスクと、
被塗装物の塗装面の境界または端縁に沿っており、上記塗装マスクの被塗装物に面する側に連続して形成されたマスク凹溝と、
このマスク凹溝内に連続して一部が収納され、残りの一部がマスク凹溝から露出する、可撓性及び弾性を有する弾性紐体とを備えたことを特徴とする塗装マスク治具。
【請求項２】
上記マスク凹溝に対応した被塗装物の表面には、上記マスク凹溝付近の塗装マスク部分または露出した弾性紐体の一部または全部が入り込んで係止される、塗装凹溝が形成されていることを特徴とする請求項１記載の塗装マスク治具。
【請求項３】
上記弾性紐体は弾性及び可撓性を有し、弾性紐体と被塗装物との間には隙間はできず、上記マスク凹溝付近の塗装マスク部分は、上記塗装凹溝の太さより小さく、弾性及び可撓性を有さず、マスク凹溝付近の塗装マスク部分と塗装凹溝内面との間には隙間ができることを特徴とする請求項２記載の塗装マスク治具。
【請求項４】
上記弾性紐体の太さは、上記マスク凹溝の太さより大きく、上記塗装凹溝の太さより大きく、弾性紐体のマスク凹溝への収納量は、塗装凹溝への収納量より大きく、上記マスク凹溝から上記弾性紐体は抜けにくく、塗装凹溝から弾性紐体は抜け易いことを特徴とする請求項２記載の塗装マスク治具。
【請求項５】
被塗装物の塗装面の外周縁うち、被塗装物の外縁を除いた周縁のみに、弾性紐体が設けられており、上記マスク凹溝及び弾性紐体の端縁は一致しており、上記被塗装物におけるこの端縁は突出して堤状となっている凸堤となっており、この凸堤に対応した上記塗装マスクの表面は同じく凸堤となっており、塗装マスクが被塗装物に装着されたときには、これら両凸堤は互いに当接または密着されることを特徴とする請求項１、３または４記載の塗装マスク治具。
【請求項６】
上記両凸堤が当接または密着されたとき、上記弾性紐体は、上記塗装マスク及び被塗装物から押圧されて、これら塗装マスク及び被塗装物の間に挟まれ、弾性的に変形することを特徴とする請求項５記載の塗装マスク治具。
【請求項７】
上記被塗装物は載置体の上に載置され、上記被塗装物は上記塗装マスクとこの載置体との間に挟まれ、この塗装マスクの全外縁とこの載置体の全外縁とはともに外方に延出され、これら延出部は互いに接近、当接または密着されることを特徴とする請求項６記載の塗装マスク治具。
【請求項８】
請求項１、２、３、４、５、６または７に記載の塗装マスク治具を使って被塗装物に塗装マスクを装着し、塗装を行い、塗装マスクを外し、被塗装物を乾燥させることを特徴とする被塗装物の生産装置。
【請求項９】
請求項８記載の被塗装物の生産装置によって生産された被塗装物。
【考案の詳細な説明】
【技術分野】
【０００１】
本考案は、塗装マスク治具に関し、特に塗装面の境界または端縁（見切りを含む。以下同じ）を明瞭に美しく仕上げる塗装マスク治具に関する。
【背景技術】
【０００２】
従来、このような塗装マスク治具としては、塗装マスクを被塗装物の表面の塗装の境界に沿って形成し、この塗装マスクを被塗装物の表面に取り付けて、塗装を行い、塗装が完了したら、この塗装マスクを取り外していた。
【０００３】
【特許文献１】特開２００８−１３２４３３号公報
【特許文献２】特開平９−２０１５５６号公報
【特許文献３】特開平９−１６４３５１号公報
【特許文献４】特表平８−５０７９５７号公報
【特許文献５】特表２００４−５２１７３０号公報
【特許文献６】特開平７−０２４９６６号公報
【特許文献７】特開２００９−７２７３６号公報
【特許文献８】特開２００７−６９１０３号公報
【特許文献９】特開２００７−６９１４６号公報
【特許文献１０】特開２００４−１４９６０３号公報
【考案の開示】
【考案が解決しようとする課題】
【０００４】
しかしこのような塗装マスク治具では、塗装の境界付近または端縁付近で、被塗装物と塗装マスクとの隙間から浸入し、塗装の境界または端縁が不明瞭になったり、汚れたような状態になったりしていた。
【課題を解決するための手段】
【０００５】
上記目的を達成するために、本考案では、  被塗装物に対して着脱自在で、被塗装物の表面の一部を覆い、被塗装物の表面の他の一部を露出させる塗装マスクと、  被塗装物の塗装面の境界または端縁に沿っており、上記塗装マスクの被塗装物に面する側に連続して形成されたマスク凹溝と、  このマスク凹溝内に連続して一部が収納され、残りの一部がマスク凹溝から露出する、可撓性及び弾性を有する弾性紐体とを備えた。  
【考案の効果】
【０００６】
これにより、塗装面の境界または端縁から、塗装された塗料がはみ出ず、塗装面の境界または端縁を明瞭に美しく仕上げることができる。このような塗料は、液体の吹付塗料または噴霧塗料、粉体の吹付塗料または噴霧塗料、静電塗装用の塗料、スプレーガンによる圧力塗装の塗料など種々の塗料がある。
【考案を実施するための最良の形態】
【０００７】
（１）塗装マスク治具及び被塗装物の生産装置
図１は、塗装マスク治具及び被塗装物の生産装置を示す。図２は、塗装マスク治具及び被塗装物の生産装置を示す。の側面を示す。金属製の角パイプなどからなる枠体１は、ほぼ直方体の枠を形成している。この枠体１の中心付近には、枠体１の長手方向に沿って水平方向に延びる支持枠２が固定されている。
【０００８】
この支持枠２の上には、複数の支持柱３…を介して設置台４が固定されている。この設置台４の上面は、被塗装物Ａの下面に沿った凹凸形状をしており、設置台４の上面と被塗装物Ａと下面との間には隙間がなく、被塗装物Ａは設置台４上にずれないように載置可能となっている。
【０００９】
この設置台４は樹脂製、布製、紙製などまたは金属の上面に樹脂、布、紙などがコーティングされたものなどからなり、被塗装物Ａの下面に傷が付きにくい。この設置台４は図示しないハンドルによって上下動可能となっており、さらに上動した位置で固定可能となっている。この設置台４は上下動せず固定されていてもよい。
【００１０】
上記支持枠２の奥上縁の両端にわたって、回転軸５が水平に架け渡されており、この回転軸５に、複数の連結棒６…を介して、塗装マスク７が固定されていて、塗装マスク７は回転軸５とともに回動可能となっている。
【００１１】
この塗装マスク７の中央の先端には、「コ字状」の取っ手８が連結固定され、手で握って塗装マスク７を設置台４の上へ回動させて重ねたり、塗装マスク７を設置台４の上から回動させて引き上げたりできる。これら塗装マスク７、回転軸５、連結棒６、取っ手８などは金属製例えばニッケル製、ステンレス製またはアルミ製などである。
【００１２】
上記支持枠２の手前上縁の両端にわたって、支持板１１が水平に架け渡されており、この支持板１１の上に「Ｌ字状」の押え杆１２…の端部が回転可能に支持されている。この押え杆１２…が回転して、押え杆１２…の他の端部で、上記塗装マスク７を上から押さえて固定できる。
【００１３】
この押え杆１２…の「Ｌ字状」の折曲部と、同じく「Ｌ字状」の押え取っ手１３…の先端部が、軸で互いに回転可能に連結され、さらにこの押え取っ手１３…「Ｌ字状」の折曲部と、上記支持板１１とは、リンク１４…の両端の軸で互いに回転可能に連結されている。支持板１１、押え杆１２…、押え取っ手１３…、リンク１４…は金属製例えばニッケル製、ステンレス製またはアルミ製などである。
【００１４】
これにより、押え取っ手１３…を回動して押し下げると、押え杆１２…はテコの原理によって、押え杆１２…の先端が下がって、上記塗装マスク７を上から押さえて固定できる。そうすると、設置台４と塗装マスク７との間に被塗装物Ａを挟んで固定でき、被塗装物Ａに塗装マスク７を装着でき、被塗装物Ａの表面を塗装マスク７で覆ってマスキング塗装ができる。
【００１５】
また、押え取っ手１３…を回動して引き上げると、押え杆１２…はテコの原理によって、押え杆１２…の先端が持ち上がり、上記塗装マスク７の押えを解除できる。そうすると、上記取っ手８を持ち上げて塗装マスク７を持ち上げることができる。この結果、マスキング塗装の済んだ被塗装物Ａを塗装マスク７から取り出したり、マスキング塗装前の被塗装物Ａを、設置台４の上にセットしたりできる。
【００１６】
（２）塗装マスク７
図３は、塗装マスク７の部分拡大を示す。図４は、上記塗装マスク７の断面を示す。塗装マスク７の下面は、被塗装物Ａの上面に沿った凹凸形状をしており、塗装マスク７の下面と被塗装物Ａと上面との間はわずかな隙間まで接近するか、または隙間がなく、被塗装物Ａは塗装マスク７下にずれないように載置可能となっている。
【００１７】
この塗装マスク７には塗装穴１６が開けられており、この塗装穴１６から露出した被塗装物Ａの面にのみ塗装が可能となり、この面を塗装面Ｂと呼ぶ。この塗装穴１６によって、被塗装物Ａの一部が露出し、塗装マスク７は被塗装物Ａの一部を覆うことになる。この塗装面Ｂ及び上記塗装穴１６の境界または端縁に沿って、塗装マスク７の下面の被塗装物Ａに面する側には、マスク凹溝１７が連続して形成されている。
【００１８】
このマスク凹溝１７内には細長い連続する弾性紐体１８の一部が押し込まれて収納されており、残りの一部はマスク凹溝１７から露出している。この弾性紐体１８は可撓性及び弾性を有し、弾性紐体１８は弾性的に変形されて上記マスク凹溝１７内に圧入されている。この弾性紐体１８は、シリコンゴム、合成ゴム、その他の可撓性及び弾性を有する材料からなっている。
【００１９】
上記マスク凹溝付近の塗装マスク７部分であって、塗装穴１６側の塗装マスク７部分の下縁突出部分は、被塗装物Ａの塗装凹溝Ｄ内に入り込んで係止されている。これにより、この突出部分が被塗装物Ａ上を動かず、被塗装物Ａに傷が付きにくくなる。また、この係止によって、被塗装物Ａと塗装マスク７との互いの位置がずれず、塗装面Ｂがずれない。
【００２０】
上記弾性紐体１８は弾性及び可撓性を有し、弾性紐体１８と被塗装物Ａとの間には隙間はできず、上記マスク凹溝１７付近の塗装マスク７部分の上記下縁突出部分は、上記塗装凹溝Ｄの太さより小さく、弾性及び可撓性を有さず、マスク凹溝１７付近の塗装マスクの下縁突出部分と塗装凹溝Ｄ内面との間には隙間ができる。
【００２１】
これにより、塗装凹溝Ｄ内面には塗料が浸透して塗装できるが、塗装凹溝Ｄの縁より外、つまり塗装穴１６の外側は塗装がはみ出ず、塗料が浸入せず、被塗装物Ａの塗装面の境界または端縁を明瞭かつ美しく仕上げることができる。なお、マスク凹溝１７付近の塗装マスクの下縁突出部分と塗装凹溝Ｄ内面との間には隙間ができなくてもよい。
【００２２】
このようなマスク凹溝１７付近の塗装マスク７部分の上記下縁突出部分の突出量は少なくてもよいし、塗装凹溝Ｄに係止しなくてもよいし、弾性紐体１８が塗装穴１６側に露出していてもよいし、無くてもよい。
【００２３】
上記マスク凹溝１７に対応した被塗装物Ａの表面／上面には、塗装凹溝Ｄが形成されている。この塗装凹溝Ｄは、上記塗装マスク７のマスク凹溝１７に沿って対応しており、したがって、マスク凹溝１７に圧入された上記弾性紐体１８の上記露出部分の一部または全部が、塗装凹溝Ｄ内にも圧入可能となって係止されてもよい。
【００２４】
これにより、塗装穴１６から吹き込んだ塗料が被塗装物Ａの塗装面Ｂのみに塗装され、弾性紐体１８より内側には浸入せず、被塗装物Ａの塗装面Ｂの境界または端縁を明瞭かつ美しく仕上げることができる。また、上記の係止によって、被塗装物Ａと塗装マスク７との互いの位置がずれず、塗装面Ｂがずれない。
【００２５】
上記弾性紐体１８の太さは、上記マスク凹溝１７の太さより大きく、上記塗装凹溝Ｄの太さよりも大きくてもよい。これにより、弾性紐体１８が弾性的に変形してマスク凹溝１７及び塗装凹溝Ｄに押し付けられ、塗装マスク７と被塗装物Ａとの間に隙間ができないほか、弾性紐体１８とマスク凹溝１７との間、弾性紐体１８と塗装凹溝Ｄとの間にも隙間ができず、被塗装物Ａの塗装面Ｂの境界または端縁を明瞭かつ美しく仕上げることができる。
【００２６】
また、マスク凹溝１７の断面はアリ溝で入口が狭くなっており、塗装凹溝Ｄの入口は狭くなっておらず広がっており、しかも弾性紐体１８のマスク凹溝１７への収納量は、弾性紐体１８の塗装凹溝Ｄへの収納量より大きくてもよい。これにより、上記マスク凹溝１７から上記弾性紐体は抜けにくく、塗装凹溝Ｄから弾性紐体は抜け易く、弾性紐体１８がマスク凹溝１７から容易に離脱せず、一方弾性紐体１８が塗装凹溝Ｄからは容易に離脱し、被塗装物Ａに対して塗装マスク７の着脱が容易になる。
【００２７】
上記被塗装物Ａの塗装面Ｂの外周縁うち、つまり塗装マスク７の塗装穴１６のうち、被塗装物Ａの外縁を除いた周縁のみに、弾性紐体１８が設けられており、被塗装物Ａの外縁には弾性紐体１８は設けられていない。これにより、弾性紐体１８を設ける部分を少なくしてコストダウンすることができる。
【００２８】
上記弾性紐体１８の端縁及び上記マスク凹溝１７の端縁の両端縁は、ともに、被塗装物Ａの端縁付近で凸堤Ｃになってもいる。この凸堤Ｃに沿って対応した、塗装マスク７の下面／表面も同じく凸堤２１となっている。
【００２９】
したがって、塗装マスク７が被塗装物Ａに装着されて密着されたときには、これら凸堤Ｃ及び凸堤２１は、互いに当接または密着される。これにより、漏れた塗料が被塗装物Ａの外側から入り込むことがなくなる。
【００３０】
なお、図４の右側において、つまり塗装穴１６の周縁以外の凸堤Ｃと凸堤２１との間にはわずかな隙間がある。これでも漏れた塗料が被塗装物Ａの外側から入り込むことが少なくなる。しかし、実際には、ここに隙間があっても、塗装穴１６の周囲に隙間が無ければ大丈夫である。
【００３１】
むしろ、このような隙間があると、塗装マスク７と設置台４と被塗装物Ａとが互いに撓むので、弾性紐体１８付近と塗装穴１６周縁の凸堤Ｃ及び凸堤２１とをより密着させて塗料の漏れをより防止できる。このような隙間の効果は、次述する設置台４周縁の外縁延出部２２と塗装マスク７の外縁延出部２３でも同様に達成できる。
【００３２】
上記設置台４の全外縁は外側に同じ幅だけ延出されて平坦な外縁延出部２２が形成されており、上記塗装マスク７の全外縁は外側に同じ幅だけ延出されて平坦な外縁延出部２３が形成されており、上記設置台４が持ち上げられ、押え杆１２…が押し下げられると、外縁延出部２２と外縁延出部２３とは互いに接近、当接または密着される。
【００３３】
これにより、設置台４と塗装マスク７との外側は隙間が少なくされ、または密封され、被塗装物Ａも外部から遮断または密封され、漏れた塗料が被塗装物Ａの外側から入り込むことが少なくなるまたはなくなる。この外縁延出部２２及び外縁延出部２３は、互いに接近または密着できれば、互いに噛み合うように凹凸があってもよいし、幅は一定ではなく太い細いなどの凹凸があってもよい。
【００３４】
上記被塗装物Ａの凸堤Ｃと塗装マスク７の凸堤２１とが接近、当接または密着されたとき、上記弾性紐体１８は被塗装物Ａ及び塗装マスク７から押圧されて、被塗装物Ａ及び塗装マスク７の間に挟まれ、図４に示すように弾性紐体１８が弾性的に変形する。
【００３５】
これにより、塗装マスク７が設置台４に押し付けられて、塗装マスク７または被塗装物Ａが変形しても、これに対応して弾性紐体１８が変形して、弾性紐体１８と被塗装物Ａとの間に隙間ができず、弾性紐体１８より内側には浸入せず、被塗装物Ａの塗装面Ｂの境界または端縁を明瞭かつ美しく仕上げることができる。
【００３６】
上記塗装マスク７の凸堤２１と被塗装物Ａの凸堤Ｃとが接近、当接または密着されたとき、上記弾性紐体１８は、塗装マスク７及び被塗装物Ａの両方から押圧され、塗装マスク７及び被塗装物Ａの両方に挟まれ、弾性紐体１８は弾性的に変形する。これにより、弾性紐体１８と塗装マスク７及び被塗装物Ａとの間に隙間ができず、塗料が浸入せず、被塗装物Ａの塗装面Ｂの境界または端縁を明瞭かつ美しく仕上げることができる。
【００３７】
また、弾性紐体１８が弾性的に変形するので、塗装マスク７の周縁の外縁延出部２３と設置台４の周縁の外縁延出部２２とが接近または密着するまで、塗装マスク７と設置台４とを接近または当接させることができ、塗装マスク７と設置台４との間に隙間ができないまたは隙間が少なくなり、塗料が浸入せず、被塗装物Ａの塗装面Ｂの境界または端縁を明瞭かつ美しく仕上げることができる。
【００３８】
（３）被塗装物Ａの生産方法
図５は、被塗装物Ａの生産方法を示す。塗装マスク治具の設置台４の上に被塗装物Ａを設置し、この上に塗装マスク７を当接させ（工程Ｚ）、スプレーガンなどを使って、塗装穴１６から露出した被塗装物Ａに塗装する（工程Ｙ）。この後、塗装マスク７を被塗装物Ａから取り外し（工程Ｘ）、被塗装物Ａを乾燥させて（工程Ｗ）、被塗装物Ａが完成する。
【００３９】
この場合、塗料が速乾性のものであれば、工程Ｗの乾燥工程は省略可能であるし、塗装マスク７に対して被塗装物Ａをスライドできれば、工程Ｚまたは工程Ｘも省略可能である。なお、複数色の塗装のときには、上記工程Ｙ、場合によって工程Ｚ、Ｙ、工程Ｙ、Ｘ、工程Ｚ、Ｙ、Ｘ、工程Ｚ、Ｘ、Ｙ、工程Ｙ、Ｘ、Ｗ、工程Ｚ、Ｙ、Ｘ、Ｗが繰り返される。
【００４０】
上記被塗装物Ａの外縁には弾性紐体１８が設けられていないので、場合によって、被塗装物Ａの外縁に塗料がはみ出ることが稀にあるかもしれない。この場合には、上記工程Ｗの乾燥工程の前、後、中で、被塗装物Ａの外縁を研磨する工程が実行される。この研磨工程は無くてもよい。このような研磨は、被塗装物Ａの塗装面の境界または端縁では行いにくく、生産効率を上げることができる。場合によって、被塗装物Ａの塗装面の境界または端縁で研磨を行ってもよい。
【００４１】
図４では、塗装マスク７の全周縁は断面円形の金属棒で囲まれて補強されている。他の図では、この補強金属棒は省略されている。このような補強金属棒はあってもなくてもよいし、素材は金属以外の樹脂などでもよい。
【００４２】
（４）他の実施の形態
本考案は、上記実施例に限定されず、種々変更可能である。例えば、上下逆さまで、設置台４と塗装マスク７とが入れ替わり、下方から塗装されてもよいし、設置台４、被塗装物Ａ及び塗装マスク７は横向きにされて、横方向から塗装がされてもよい。この場合、上記「上」「下」などの向きを表す言葉は、逆になったり、「左」「右」「前」「後」などに変更されたりする。
【００４３】
塗装マスク７は枠体１または支持枠２などに固定され、この上に被塗装物Ａが乗せられ、さらにこの上から設置台４の方が開閉／回動されてもよい。設置台４と塗装マスク７との間は、弾性紐体１８、外縁延出部２２及び外縁延出部２３以外でも接近／当接／密着していてもよいし、隙間があってもよい。
【００４４】
上記実施例では、被塗装物Ａの塗装面Ｂの外周縁うち、被塗装物Ａの外縁を除いた周縁のみに、弾性紐体１８が設けられていた。しかし、塗装マスク７の凸堤２１の一部または全体には、マスク凹溝１７が形成されて弾性紐体１８が圧入されてもよい。つまり、塗装穴１６の周縁全体にわたって弾性紐体１８が設けられてもよく、被塗装物Ａの塗装面Ｂの周縁全体にわたって弾性紐体１８が設けられてもよい。
【００４５】
塗装マスク７のマスク凹溝１７から露出した弾性紐体１８の一部が、被塗装物Ａの塗装凹溝Ｄに入り込んでもよいし、露出した弾性紐体１８の全部が、被塗装物Ａの塗装凹溝Ｄに入り込んでもよい。マスク凹溝１７は凹状であるがほぼ平坦でもよく、これに応じて弾性紐体１８のマスク凹溝１７への当接面も平坦となる。また、マスク凹溝１７は凸状でもよく、これに応じて弾性紐体１８のマスク凹溝１７への当接面は凹状となって嵌合／嵌着される。
【００４６】
弾性紐体１８の断面は円形であったが、長方形、三角形、板形、楕円形、平行四辺形、菱形、多角形、台形、星形、曲線形状、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、角張った形状、角張った段差のある形状、丸みを帯びた段差のある形状、丸みを帯びた凹凸のある形状などでもよく、マスク凹溝１７の断面もこれに応じて変更される。
【００４７】
弾性紐体１８は一本であったが、複数本並べられてもよいし、複数本束ねられてもよいし、この複数本が互いに接着されてもよい。また、弾性紐体１８、マスク凹溝１７及び塗装凹溝Ｄは、塗装マスク７または被塗装物Ａに対して、一か所ではなく複数個所に分けて設けられてもよい。弾性紐体１８は、上記塗装マスク７の凸堤２１の上に設けられてもよいし、外縁延出部２２または外縁延出部２３の上に設けられてもよい。
【００４８】
被塗装物Ａへの塗装は一回で一色だけであったが、二回以上で二色以上であってもよい。この場合、塗装穴１６の形状が異なり他は同じ形状の複数種類の塗装マスク治具が用意されて、塗装が複数回行われる。この場合、塗装穴１６の異なる複数種類の塗装マスク７が１つの塗装マスク治具に対して順次切り替え交換されてもよい。この場合、異なる塗装面が接しているラインが「境界」となり、塗装面と非塗装面との境界は「端縁」となる。
【００４９】
被塗装物Ａの凸堤Ｃまたは塗装凹溝Ｄは無くてもよいし、被塗装物Ａは平坦でも、棒状でも、立体的でもよいし、複数の被塗装物Ａが組合わせられてもよい。塗装凹溝Ｄが無い時には、スク凹溝１７付近の塗装マスクの下縁突出部分が係止される他の手段が設けられてもよい。例えば、被塗装物Ａの下の設置台４に小型の強力な磁石が線状に配列され、スク凹溝１７付近の塗装マスクの下縁突出部分が強磁性体で構成されて吸着される。
【００５０】
マスク凹溝１７の断面はアリ溝で入口が狭くなっていたが、マスク凹溝１７の断面の表面の摩擦を大きくして弾性紐体１８が抜けにくくしたり、マスク凹溝１７の入口にツメが設けられて弾性紐体１８が抜けにくくしたり、マスク凹溝１７と弾性紐体１８との間が接着されたりしてもよい。
【００５１】
塗装凹溝Ｄの入口は狭くなっておらず広がっていたが、マスク凹溝１７の断面の表面の摩擦を小さくして弾性紐体１８が抜け易くしたり、マスク凹溝１７の入口にツメが設けられず弾性紐体１８が抜け易くしたりしてもよいし、上記接着がされず弾性紐体１８が抜け易くしたりしてもよい。
【００５２】
塗装マスク７または設置台４は、枠体１、持枠２  支持柱３、連結棒６に対して、平行移動してもいし、回動してもよいし、手動で着脱されてもよい。塗装マスク７または設置台４は動かず固定されてもよく、この場合被塗装物Ａは、塗装マスク７などにスライドして装着され同じくスライドして引き出される。この場合でも、塗装マスク７は被塗装物Ａに対して着脱自在といえる。
【００５３】
上記塗装穴１６は一つではなく、複数でもよいし、塗装マスク７の中に開けられた穴ではなく、塗装マスク７の周縁が切り欠けられて、塗装穴１６とされてもよい。塗装凹溝Ｄは凹状であるがほぼ平坦でもよく、これに応じて弾性紐体１８の塗装凹溝Ｄへの当接面も平坦となる。また、塗装凹溝Ｄは凸状でもよく、これに応じて弾性紐体１８の塗装凹溝Ｄへの当接面は凹状となって嵌合／嵌着される。
【００５４】
弾性紐体１８の太さは、マスク凹溝１７または塗装凹溝Ｄの大きさより大きかったが、同じ大きさでも、小さくてもよく、この場合接着剤などが使われ、弾性紐体１８とマスク凹溝１７または塗装凹溝Ｄとの間に隙間ができないようにされる。
【００５５】
上記塗装マスク７の凸堤２１及び被塗装物Ａの凸堤Ｃは、一部または全部省略されてもよく、被塗装物Ａの外縁の一部のみに形成されもよく、またマスク凹溝１７または塗装凹溝Ｄの全部または一部にまたはマスク凹溝１７または塗装凹溝Ｄの近傍の全部または一部に、これら凸堤２１または凸堤Ｃが形成されてもよい。
【００５６】
上記枠体１、支持枠２、支持柱３、設置台４、回転軸５、連結棒６、塗装マスク７、取っ手８、支持板１１、押え杆１２…、押え取っ手１３…、リンク１４…、塗装穴１６、マスク凹溝１７、弾性紐体１８、凸堤２１、外縁延出部２２、外縁延出部２３、塗装凹溝Ｄ内に入る弾性紐体１８の隣の塗装マスク７の下縁突出部分、被塗装物Ａ、塗装面Ｂ、凸堤Ｃ、塗装凹溝Ｄは、単数でも複数でも３つ以上でもよいし、これらそれぞれの一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよく、これらの材質は金属製または樹脂製のほか、木製、集成材製、合成材製、合板製、表面に化粧紙が接着されたもの、竹製、樹脂製、金属製、ガラス製、綿製、布製、糸製、繊維製、ゴム製、紙製、コンクリート製、セラミック製、カーボン製、硬質ウレタン製、これらの合成物製／混合物製／多層積層物製／複合材料でもよい。
【００５７】
（５）他の考案の効果
［１］被塗装物に対して着脱自在で、被塗装物の表面の一部を覆い、被塗装物の表面の他の一部を露出させる塗装マスクと、  被塗装物の塗装面の境界または端縁に沿っており、上記塗装マスクの被塗装物に面する側に連続して形成されたマスク凹溝と、  このマスク凹溝内に連続して一部が収納され、残りの一部がマスク凹溝から露出する、可撓性及び弾性を有する弾性紐体とを備えたことを特徴とする塗装マスク治具。
【００５８】
［２］  上記マスク凹溝に対応した被塗装物の表面には、上記マスク凹溝付近の塗装マスク部分または露出した弾性紐体の一部または全部が入り込んで係止される、塗装凹溝が形成されていることを特徴とする請求項１記載の塗装マスク治具。
【００５９】
これにより、被塗装物に傷が付かず、マスク凹溝付近の弾性紐体の隣の塗装マスク部分が塗装凹溝内に入るので、この突出部分が被塗装物上を動かず傷が付きにくいし、被塗装物と塗装マスクとの互いの位置がずれず、塗装面がずれない。
【００６０】
また、塗装凹溝に余分な塗料が溜まることが可能で、余分な塗料が塗装凹溝からはみ出さない。さらに、塗装マスクと被塗装物との間に隙間ができないほか、弾性紐体とマスク凹溝との間、弾性紐体と塗装凹溝との間にも隙間ができず、被塗装物の塗装面の境界または端縁を明瞭かつ美しく仕上げることができる。
【００６１】
［３］上記弾性紐体は弾性及び可撓性を有し、弾性紐体と被塗装物との間には隙間はできず、上記マスク凹溝付近の塗装マスク部分は、上記塗装凹溝の太さより小さく、弾性及び可撓性を有さず、マスク凹溝付近の塗装マスク部分と塗装凹溝内面との間には隙間ができることを特徴とする請求項２記載の塗装マスク治具。
【００６２】
これにより、塗装凹溝内面には塗装できるが、塗装凹溝の縁より外は塗装がはみ出ず、塗料が浸入せず、被塗装物の塗装面の境界または端縁を明瞭かつ美しく仕上げることができる。
【００６３】
［４］上記弾性紐体の太さは、上記マスク凹溝の太さより大きく、上記塗装凹溝の太さより大きく、弾性紐体のマスク凹溝への収納量は、塗装凹溝への収納量より大きく、上記マスク凹溝から上記弾性紐体は抜けにくく、塗装凹溝から弾性紐体は抜け易いことを特徴とする請求項２記載の塗装マスク治具。
【００６４】
これにより、上記マスク凹溝から上記弾性紐体は抜けにくく、塗装凹溝から弾性紐体は抜け易く、弾性紐体がマスク凹溝から容易に離脱せず、一方弾性紐体が塗装凹溝からは容易に離脱し、被塗装物に対して塗装マスクの着脱が容易になる。
【００６５】
［５］被塗装物の塗装面の外周縁うち、被塗装物の外縁を除いた周縁のみに、弾性紐体が設けられており、上記マスク凹溝及び弾性紐体の端縁は一致しており、上記被塗装物におけるこの端縁は突出して堤状となっている凸堤となっており、この凸堤に対応した上記塗装マスクの表面は同じく凸堤となっており、塗装マスクが被塗装物に装着されたときには、これら両凸堤は互いに当接または密着されることを特徴とする請求項１、３または４記載の塗装マスク治具。
【００６６】
これにより、塗装マスクが被塗装物に装着されて密着されたときには、これら両凸堤は互いに当接または密着され、漏れた塗料が被塗装物Ａの外側から入り込むことがなくなる。また、弾性紐体を設ける部分を少なくしてコストダウンすることができる。
【００６７】
［６］上記両凸堤が当接または密着されたとき、上記弾性紐体は、上記塗装マスク及び被塗装物から押圧されて、これら塗装マスク及び被塗装物の間に挟まれ、弾性的に変形することを特徴とする請求項５記載の塗装マスク治具。
【００６８】
これにより、弾性紐体と塗装マスク及び被塗装物との間に隙間ができず、塗料が浸入せず、被塗装物の塗装面の境界または端縁を明瞭かつ美しく仕上げることができる。また、弾性紐体が弾性的に変形するので、塗装マスクの周縁と設置体の周縁とが密着するまで、塗装マスクと設置体とを接近当接させることができ、塗装マスクと設置体との間に隙間ができず、塗料が浸入せず、被塗装物の塗装面の境界または端縁を明瞭かつ美しく仕上げることができる。
【００６９】
［７］上記被塗装物は載置体の上に載置され、上記被塗装物は上記塗装マスクとこの載置体との間に挟まれ、この塗装マスクの全外縁とこの載置体の全外縁とはともに外方に延出され、これら延出部は互いに接近、当接または密着されることを特徴とする請求項６記載の塗装マスク治具。これにより、設置体と塗装マスクとの外側は接近または密封され、被塗装物は外部との隙間が小さく、または密封／遮断され、漏れた塗料が被塗装物Ａの外側から入り込むことが少なくなるまたはなくなる。
【００７０】
［８］請求項１、２、３、４、５、６または７に記載の塗装マスク治具を使って被塗装物に塗装マスクを装着し、塗装を行い、塗装マスクを外し、被塗装物を乾燥させることを特徴とする被塗装物の生産装置。これにより、より手間がかからずより安価に、塗装面押鍵境界または端縁の美しい被塗装物を生産できる。
【００７１】
［９］請求項８記載の被塗装物の生産装置によって生産された被塗装物。これにより、被塗装物においても、上記［１］〜［８］の効果をすべて奏する。
【産業上の利用可能性】
【００７２】
塗装面の境界または端縁から塗料がはみ出ず、塗装面の境界または端縁が明瞭に美しく仕上げられるし、さらに被塗装物Ａの表面に傷がつかない。  塗装マスク７の塗装穴１６の周縁のうち、被塗装物Ａの外縁を除いた周縁にはマスク凹溝１７が設けられ、この中に弾性紐体１８が圧入され、この弾性紐体１８は被塗装物Ａの塗装凹溝Ｄに当接密着し、塗装穴１６からの塗料が弾性紐体１８を越えて浸透しない。
【００７３】
また、弾性紐体１８が被塗装物Ａに当接するので、被塗装物Ａに傷が付かず、下方へ突出した弾性紐体１８の隣の塗装マスク７部分が塗装凹溝Ｄ内に入るので、この突出部分が被塗装物Ａ上を動かず傷が付きにくいし、被塗装物Ａと塗装マスク７との互いの位置がずれず、塗装面Ｂがずれない。
【００７４】
さらに、被塗装物Ａの外縁の凸堤Ｃと、これに対応する塗装マスク７の凸堤２１とは互いに当接密着してもよく、外から塗料が浸透しない。また、塗装マスク７の周縁の外縁延出部２３と設置台４の周縁の外縁延出部２２とは互いに当接密着してもよく、外から塗料が浸透しない。
【図面の簡単な説明】
【００７５】
【図１】塗装マスク治具及び被塗装物の生産装置を示す。
【図２】塗装マスク治具及び被塗装物の生産装置の側面を示す。
【図３】塗装マスク７の部分拡大を示す。
【図４】塗装マスク７の部分断面を示す。
【図５】被塗装物Ａの生産方法を示す。
【符号の説明】
【００７６】
１…枠体、２…支持枠、
３…支持柱、４…設置台（載置体）、
５…回転軸、６連結棒、
７…塗装マスク、８…取っ手、
１１…支持板、１２…押え杆、
１３…押え取っ手、１４…リンク、
１６…塗装穴、１７…マスク凹溝、
１８…弾性紐体、２１…凸堤、
２２…外縁延出部、２３…外縁延出部、
Ａ…被塗装物、Ｂ…塗装面、
Ｃ…凸堤、Ｄ…塗装凹溝。
【図１】
0003180451.tif 000003
【図２】
0003180451.tif 000004
【図３】
0003180451.tif 000005
【図４】
0003180451.tif 000006
【図５】
0003180451.tif 000007